(57)【要約】【課題】携帯端末機の自動受信モード設定システムの構成を簡単化すると共に、各発信局の設定を容易にするとともに、周囲の状況に適した受信モードを設定でき、システム運用・操作に柔軟性を持たせる。【解決手段】所定通信網５と接続している携帯端末１を使用する所定エリア（施設２）内でその使用状況変化に応じて前記携帯端末の受信状態モードを制御する携帯端末の自動受信状態モード設定システムにおいて、前記所定エリア内でその使用状況変化を前記携帯端末１に通知する通信手段として、受信状態モード設定用サーバ３，制御用基地局４を備えることを特徴とする。【選択図】  図１
2006157273.tif 000002
【特許請求の範囲】
【請求項１】
所定通信網と接続している携帯端末を使用する所定エリア内でその使用状況変化に応じて前記携帯端末の受信状態モードを制御する携帯端末の自動受信状態モード設定システムにおいて、前記所定エリア内で設定される前記携帯端末の受信状態モードを前記携帯端末に通知する通信手段を備えることを特徴とする携帯端末の自動受信状態モード設定システム。
【請求項２】
通信手段が、携帯端末の通信網に接続されると共に前記携帯端末の受信状態モードを設定して近距離無線通信により通知するサーバを備え、前記携帯端末が、前記サーバと近距離無線通信により接続されている請求項１記載の携帯端末の自動受信状態モード設定システム。
【請求項３】
通信手段が、携帯端末の通信網に接続されると共に前記携帯端末の受信状態モードを設定して近距離無線通信により通知するサーバと、このサーバおよび前記携帯端末と近距離無線通信によりそれぞれ接続され前記移動端末の受信状態モードをこの携帯端末に通知する制御基地局とを備え、前記携帯端末が、前記制御基地局と近距離無線通信により接続されている請求項１記載の携帯端末の自動受信状態モード設定システム。
【請求項４】
通信手段が、携帯端末の通信網に接続されると共に前記携帯端末の受信状態モードを設定して有線通信により通知するサーバと、このサーバと有線通信により接続され前記携帯端末の受信状態モードをこの携帯端末に近距離無線通信により通知する制御基地局とを備え、前記携帯端末が、前記制御基地局と近距離無線通信により接続されている請求項１記載の携帯端末の自動受信状態モード設定システム。
【請求項５】
サーバは、携帯端末がその通信網との無線部電源断で、近距離無線通信のみ動作の状態で、他の携帯端末から着信があった時、前記サーバとの近距離無線通信または前記サーバから制御基地局を介した近距離無線通信を用いて前記携帯端末にその着信を通知する請求項２、３または４記載の携帯端末の自動受信状態モード設定システム。
【請求項６】
近距離無線通信が、Ｂｌｕｅｔｏｏｔｈ（商標名）通信または無線ＬＡＮである請求項２，３，４または５記載の携帯端末の自動受信状態モード設定システム。
【請求項７】
携帯端末が、通信手段の通知に従って前記携帯端末の受信状態モードを切り替える制御手段を有する請求項１乃至６のうちの１項に記載の携帯端末の自動受信状態モード設定システム。
【請求項８】
携帯端末が、携帯電話機である請求項１乃至７のうちの１項に記載の携帯端末の自動受信状態モード設定システム。
【請求項９】
携帯端末を使用する所定エリア内で前記携帯端末の使用状況変化に応じて前記携帯端末の受信状態モードを制御する携帯端末の自動受信状態モード設定方法において、通信手段により前記所定エリア内で設定される前記携帯端末の受信状態モードを前記携帯端末に通知し、前記通信手段の通知に従って前記携帯端末が、その受信状態モードを制御することを特徴とする携帯端末の自動受信状態モード設定方法。
【請求項１０】
通信手段として、携帯端末の受信状態モードを設定するサーバが、前記携帯端末の通信網に接続されると共に近距離無線通信により接続され、前記携帯端末が、前記サーバと近距離無線通信により接続されている請求項９記載の携帯端末の自動受信状態モード設定方法。
【請求項１１】
通信手段として、携帯端末の受信状態モードを設定するサーバが、携帯端末の通信網に接続されると共に近距離無線通信により接続され、制御基地局が、前記サーバおよび前記携帯端末と近距離無線通信によりそれぞれ接続されて前記携帯端末の受信状態モードをこの携帯端末に通知し、前記携帯端末が、前記制御基地局と近距離無線通信により接続されている請求項９記載の携帯端末の自動受信状態モード設定方法。
【請求項１２】
通信手段として、携帯端末の受信状態モードを設定するサーバが、携帯端末の通信網に接続されると共に制御基地局と有線通信により接続され、この制御基地局が、近距離無線通信により前記携帯端末と接続され、前記携帯端末の受信状態モードをこの携帯端末に通知する請求項９記載の携帯端末の自動受信状態モード設定方法。
【請求項１３】
サーバは、携帯端末がその通信網との無線部電源断で、近距離無線通信のみ動作の状態で、他の携帯端末から着信があった時、前記サーバの近距離無線通信により前記携帯端末にその着信を通知する請求項１０記載の携帯端末の自動受信状態モード設定方法。
【請求項１４】
サーバは、携帯端末がその通信網との無線部電源断で、近距離無線通信のみ動作の状態で、他の携帯端末から着信があった時、制御基地局から近距離無線通信を介して前記携帯端末にその着信を通知する請求項１１または１２記載の携帯端末の自動受信状態モード設定方法。
【請求項１５】
携帯端末が、携帯電話機である請求項９乃至１４のうちの１項に記載の携帯端末の自動受信状態モード設定方法。
【請求項１６】
携帯端末の通信網に接続されると共に通信手段により前記携帯端末の受信状態モードを設定して通知することを特徴とする受信状態モード設定用サーバ。
【請求項１７】
通信手段が、近距離無線通信または有線通信である請求項１６記載の受信状態モード設定用サーバ。
【請求項１８】
携帯端末がその通信網との無線部電源断で、近距離無線通信のみ動作の状態で、他の携帯端末から着信があった時、近距離無線通信によりまたは制御基地局の近距離無線通信を介して前記携帯端末にその着信を通知する請求項１６または１７記載の受信モード設定用サーバ。
【請求項１９】
通信手段によりサーバで設定した携帯端末の受信状態モードを前記携帯端末に通知することを特徴とする受信モード設定用制御基地局。
【請求項２０】
サーバからの通信手段が、近距離無線通信または有線通信であり、携帯端末への通信手段が、近距離無線通信である請求項１９記載の受信モード設定用制御基地局。
【請求項２１】
携帯端末の通信網に接続されると共に近距離無線通信により接続され、この近距離無線通信により通知された受信状態モードにより制御されることを特徴とする携帯端末。
【請求項２２】
携帯端末の通信網との無線部電源断で、近距離無線通信のみ動作の状態で、他の携帯端末から着信があった時、近距離無線通信により、その着信を受信する請求項２１記載の携帯端末。
【請求項２３】
携帯端末が、携帯電話機である請求項２１または２２記載の携帯端末。
【発明の詳細な説明】
【技術分野】
【０００１】
本発明は、携帯端末の自動受信状態モード設定システムおよびその自動受信状態モード設定方法に関し、特に携帯端末の受信状態モードを任意に設定できるようにした携帯端末の自動受信状態モード設定システムおよびその自動受信状態モード設定方法に関する。
【背景技術】
【０００２】
最近、携帯電話の使用状況をみると、携帯電話の使用禁止、マナーモード設定をするなどの注意書きなどがあるが、ユーザーがうっかり忘れていたり、電話はかかってこないだろうなどと思い、マナーモード設定などにしていない場合がある。また、携帯電話が使用禁止でも、ユーザーが無線部電源ＯＦＦとする必要性を感じないために、無線部電源ＯＦＦ設定にしない場合がある。このように様々な状況でマナーモードなどの設定を行っていない場合があり、また、普段は通話禁止である場所でも緊急の連絡などに携帯電話を使用したいと思う事がある。
【０００３】
このような状況下で、ユーザーによるマナーモード、無線部電源ＯＦＦなどの設定を、
外部からの制御信号により携帯電話の受信モードを強制的に制御するシステムが提案されている。特許文献１には、所定信号を受信している間は携帯電話にマナーモードを設定し、
所定信号を受信しなくなった時にそのマナーモードを解除するものが示され、また特許文献２には、通信規制を要する場所に携帯電話が入場の際に、入場ゲートでの近距離無線通信により通信規制を要求または解除する信号を受信する方法が示されている。また、特許文献３には、エリア毎に携帯電話のマナーモードなどの設定または解除するシステムが示されている。
【０００４】
図６は特許文献３に示された従来例のシステムブロック図である。このマナーモード設定システムは、携帯端末１ｂと、携帯端末の通信網５ａと、携帯端末規制用発信局６ａ，６ｂと、規制解除用発信局７ａ，７ｂと、基地局８とから構成される。携帯端末規制用発信局６ａ，６ｂは、規制すべき各エリアＡ、Ｂ毎にそれぞれの内部に設置され、規制解除用発信局７ａ，７ｂは、規制すべき各エリアＡ、Ｂのそれぞれ外側に設置される。基地局８は、携帯端末の通信網５を介して携帯端末１ｂとの間で通信を行う。携帯端末規制用発信局６ａ，６ｂは、当該エリアＡ、Ｂ内にある携帯端末１ｂに対して所定機能を規制する規制信号を近接無線により一定時間毎に定期的に発信する。
【０００５】
エリアＡ，Ｂは、例えば病院、映画館、美術館、電車内などのように、携帯端末の機能を規制する必要のある特定の場所である。携帯端末１ａに備えられた各種機能としては、携帯電話機能、着信音機能、バイブレータ機能、電子メール機能、カメラ機能などがあるが、
これらエリアＡ，Ｂは、エリア毎に規制すべき機能が決められている。
【０００６】
携帯端末規制用発信局６ａ，６ｂは、その機能を規制するための規制信号を近接無線により定期的に発信するように構成されている。携帯端末１は、これら発信局６ａ，６ｂから発信される規制信号を受信することにより、この規制信号で指定された機能をＯＦＦ状態とする規制モードを設定する。なお、規制モード状態であっても、各発信局６ａ，６ｂからの発信される制御信号（規制信号／解除信号）を受信する回路動作は継続されるようにしている。
また、規制解除用発信局７ａ，７ｂは、エリアＡ、Ｂの入口付近に配置され、例えば病院の玄関、映画館や美術館のロビー、駅のホームなどに配置される。これら規制解除用発信局７ａ，７ｂは、それぞれ発信局６ａ，６ｂで規制された機能を解除するための解除信号を近接無線により一定時間毎に定期的に発信する。携帯端末１は、これら発信局７ａ，７ｂから発信される解除信号を受信することにより、設定されている規制モードを解除して通常状態に復帰する。なお、携帯端末１には、自動解除機能があり、エリアＡ、Ｂの外に出た時には解除信号を受信しなくとも自動的に規制モードを解除出来るようになっている。
各発信局６ａ，６ｂ，７ａ，７ｂに適用される無線通信システムとしては、病院内での医療機器を考慮して、微弱な電波で近距離通信を行うものがよく、例えばＢｌｕｅｔｏｏｔｈが挙げられる。このＢｌｕｅｔｏｏｔｈは、短距離の無線通信規格に準じた無線通信システムであり、例えば２．４５ＧＨｚのＩＳＭ（Ｉｎｄｕｓｔｒｉａｌ  Ｓｃｉｅｎｔｉｆｉｃ  Ｍｅｄｉｃａｌ）帯の電波を用いて約１０ｍの距離で無線通信を実現している。
各発信局６ａ，６ｂ，７ａ，７ｂの発信には、このようなＢｌｕｅｔｏｏｔｈ等の近距離の無線通信用の微弱な電波が用いられる。
【０００７】
また、基地局８は、エリアＡ、Ｂを含む所定範囲内で携帯端末１ｂとの間で無線通信を行う。携帯端末１ｂから発信される信号を通信網５ａを介して他の携帯端末に転送したり、他の携帯端末からの信号を通信網５ａを介して携帯端末１ｂに送るよう動作する。
【０００８】
図７（ａ）は図６の携帯端末１ｂの一例である携帯電話機の概略構成を説明するブロック図である。この携帯端末１ｂは、通常の携帯電話機能部と近接通信機能部とから構成される。通常の携帯電話機能部は、アンテナ１１と、送受信部１２と、制御部１３ｂと、表示制御部１４と、表示部１５と、音声処理部１６ａ，１６ｂと、スピーカ１７、マイク（マイクロフォン）１８と、キー入力部１９と、記憶部２０とからなり、近距離通信機能部は、近距離無線アンテナ２１と、制御信号受信部２３とが含まれる。
【０００９】
通常の携帯電話機能部では、基地局８から無線チャンネルを介して到来した無線信号が、アンテナ１１を介して送受信部１２に受信され復調される。復調された受信信号は、制御部１３ｂにおいて、表示信号と音声信号に分けられる。表示信号は、表示制御部１４を介してＬＣＤなどの表示部１５に表示され、また音声信号は音声処理部１６ａを介してスピーカ１７に出力される。
【００１０】
また、図７（ｂ）は図６のシステムのエリアＡに設置される発信局６ａの一例の概略構成を説明するブロック図である。この発信局６ａは、制御部６３、記憶部６４、制御信号送信部６２、近距離無線アンテナ６１から構成される。
【００１１】
制御部６３は、例えばマイクロプロセッサからなり、発信局全体の制御を行う。記憶部６４には、携帯端末１ｂの各機能の規制すべきモードのパターン（規制パターン）テーブルを記憶する。制御部６３は、記憶部６４からの規制パターンを参照して、エリアＡ用の規制パターンに対応する規制信号を制御信号送信部６２を通じて定期的に発信する処理を行う。この記憶部６４に設けられた規制パターンテーブルは、携帯端末１ｂの持つ規制パターンテーブルと同じ内容を持つ。制御信号送信部６２は、制御部６３の制御の下でエリアＡ用の規制信号を微弱な電波で発信する。このように発信された制御信号は、近距離無線アンテナ６１を介してそのエリアＡ内の携帯端末１ｂに供給される。
【００１２】
他のエリアＢに設置された発信局６ｂも同様の構成であり、エリアＡ，Ｂの規制パターンに対応する規制信号を発信する。また、エリアＡ，Ｂに設置された規制解除用発信局７ａ、７ｂも同様の構成であり、各エリアで規制されていた機能を解除するための解除信号を微弱な電波で発信する。
【００１３】
規制パターンテーブルとしては、通常モード（無線機能ＯＮ）ＯＦＦ、着信音ＯＮ、バイブレータＯＮ）、着信音規制モード（無線機能ＯＮ、着信音ＯＦＦ、バイブレータＯＮ）、無線機能規制モード（無線機能ＯＦＦ、着信音ＯＦＦ、バイブレータＯＦＦ）がある。例えば、エリアＡには着信音規制モード、エリアＢには無線機能規制モードが適用されるとする。この場合、エリアＡには着信音規制モードの規制パターンをもつ発信局６ａが設置され、エリアＡの入口付近には、その規制信号を解除する解除信号を発信する発信局７ａが設置される。また、エリアＢには無線機能規制モードの規制パターンをもつ発信局６ｂが設置され、エリアＢの入口付近には、その規制信号を解除する解除信号を発信する発信局７ｂが設置される。
【００１４】
携帯端末１ｂの制御信号受信部２３は、規制動作中であっても常に動作状態になっており、携帯端末１ｂが特定の発信局の通信範囲に入ったとき、その発信局から定期的に発信される制御信号を受信する。
【００１５】
制御部６３は、制御信号が受信されると、この制御信号が規制信号か解除信号か判断する。制御信号が規制信号であった場合、制御部６３は、その規制信号のモードに携帯端末１ｂを切り替える。例えば，携帯端末１ｂが、エリアＡに入ったとすると、発信局６ａからの制御（規制）信号が携帯端末１ｂに受信される。すると、携帯端末１ｂ制御部６３はまた、着信音ＯＦＦとする着信音規制モードに切り替える。また、携帯端末１ｂが、エリアＡから出たとすると、発信局６ｂからの制御（解除）信号が携帯端末１ｂに受信される。
すると、携帯端末１ｂの制御部６３は、着信音規制モードを解除し通常モードに切り替える。エリアＢの場合も同様に動作する（特許文献１参照）。
【００１６】
【特許文献１】特開２００３−０３２７４６号
【特許文献２】特開２００３−０７００６７号
【特許文献３】特開２００４−０４８１６６号
【発明の開示】
【発明が解決しようとする課題】
【００１７】
しかし、これら従来技術では、特定エリアの外部からの制御信号により携帯電話の受信モードを強制的に制御できるが、その受信モード設定が、例えばマナーモードだけに限定されている。そのため、例えば特定エリアが演奏会場で、マナーモードの規制だけでなく、無線部ＯＦＦにしたい場合や、そのモードを解除したい場合に、携帯電話の受信モード設定を任意に変更できず、操作性がよくない問題がある。また、特許文献３では、近距離無線技術を用いて携帯端末の受信モード設定が行われるが、それぞれのエリアに規制制御用発信局と規制解除用発信局とを設ける必要があり、構成が複雑になる。さらに、規制制御用発信局の設定を規制の度に設定し直す必要があるので、これも操作性が良くないという問題がある。
【００１８】
本発明の目的は、ユーザーによるマナーモード、無線部電源ＯＦＦなどの設定を、特定の時間・状況を含めて外部から携帯電話に自動設定できると共に、周囲の環境に影響を与えずに携帯電話のマナーを向上させ、ユーザーが快適に使用できるようにした携帯端末の自動受信モード設定システムおよびその受信モード設定方法を提供することにある。
【００１９】
本発明の他の目的は、システム構成を簡単化すると共に、周囲の状況に適した受信モードを任意に設定でき、システム運用・操作に柔軟性を持たせた携帯端末の自動受信モード設定システムおよびその受信モード設定方法を提供することにある。
【課題を解決するための手段】
【００２０】
本発明の構成は、所定通信網と接続している携帯端末を使用する所定エリア内でその使用状況変化に応じて前記携帯端末の受信状態モードを制御する携帯端末の自動受信状態モード設定システムにおいて、前記所定エリア内で設定される前記携帯端末の受信状態モードを前記携帯端末に通知する通信手段を備えることを特徴とする。
【００２１】
本発明において、通信手段が、携帯端末の通信網に接続されると共に前記携帯端末の受信状態モードを設定し近距離無線通信により前記携帯端末に通知するサーバを備え、前記携帯端末が、前記サーバと近距離無線通信により接続されることができ、また、通信手段が、携帯端末の通信網に接続されると共に前記携帯端末の受信状態モードを設定し近距離無線通信により通知するサーバと、このサーバおよび前記携帯端末と近距離無線通信によりそれぞれ接続され前記移動端末の受信状態モードをこの携帯端末に通知する制御基地局とを備え、前記携帯端末が、前記制御基地局と近距離無線通信により接続されることができ、また、通信手段が、携帯端末の通信網に接続されると共に有線通信により前記携帯端末の受信状態モードを設定し有線通信により通知するサーバと、このサーバと有線通信により接続され前記携帯端末の受信状態モードをこの携帯端末に近距離無線通信により通知する制御基地局とを備え、前記携帯端末が、前記制御基地局と近距離無線通信により接続されることができる。
【００２２】
さらに、本発明において、サーバは、携帯端末がその通信網との無線部電源断で、近距離無線通信のみ動作の状態で、他の携帯端末から着信があった時、前記サーバとの近距離無線通信または前記サーバから制御基地局を介した近距離無線通信を用いて前記携帯端末にその着信を通知することができ、また、 近距離無線通信が、Ｂｌｕｅｔｏｏｔｈ（商標名）通信または無線ＬＡＮであることができる。
【００２３】
さらに、本発明において、携帯端末が、通信手段の通知に従って前記携帯端末の受信状態モードを制御する制御手段を有することができ、また、携帯端末が、携帯電話機であることができる。
【００２４】
また、本発明の他の構成は、携帯端末を使用する所定エリア内で前記携帯端末の使用状況変化に応じて前記携帯端末の受信状態モードを制御する携帯端末の自動受信状態モード設定方法において、通信手段により前記所定エリア内で設定される前記携帯端末の受信状態モードを前記携帯端末に通知し、前記通信手段の通知に従って前記携帯端末が、その受信状態モードを制御することを特徴とする。
【００２５】
本発明において、通信手段として、携帯端末の受信状態モードを設定するサーバが、前記携帯端末の通信網に接続されると共に近距離無線通信により接続され、前記携帯端末が、前記サーバと近距離無線通信により接続されることができ、また、通信手段として、携帯端末の受信状態モードを設定するサーバが、携帯端末の通信網に接続されると共に近距離無線通信により接続され、制御基地局が、前記サーバおよび前記携帯端末と近距離無線通信によりそれぞれ接続されて前記携帯端末の受信状態モードをこの携帯端末に通知し、前記携帯端末が、前記制御基地局と近距離無線通信により接続されることができ、また、通信手段として、携帯端末の受信状態モードを設定するサーバが、携帯端末の通信網に接続されると共に制御基地局と有線通信により接続され、この制御基地局が、近距離無線通信により前記携帯端末と接続され、前記携帯端末の受信状態モードをこの携帯端末に通知することができる。
【００２６】
本発明において、サーバは、携帯端末がその通信網との無線部電源断で、近距離無線通信のみ動作の状態で、他の携帯端末から着信があった時、前記サーバの近距離無線通信により前記携帯端末にその着信を通知することができ、また、制御基地局からの近距離無線通信を介して前記携帯端末にその着信を通知することができる。
【００２７】
本発明の受信状態モード設定用サーバの構成は、携帯端末の通信網に接続されると共に通信手段により前記携帯端末の受信状態モードを設定して通知することを特徴とする。
【００２８】
本発明において、通信手段が、近距離無線通信または有線通信であることができ、また、携帯端末がその通信網との無線部電源断で、近距離無線通信のみ動作の状態で、他の携帯端末から着信があった時、近距離無線通信によりまたは制御基地局の近距離無線通信を介して前記携帯端末にその着信を通知することができる。
【００２９】
本発明の受信モード設定用制御基地局の構成は、通信手段によりサーバで設定した携帯端末の受信状態モードを前記携帯端末に通知することを特徴とする。
【００３０】
本発明において、サーバからの通信手段が、近距離無線通信または有線通信であり、携帯端末への通信手段が、近距離無線通信であることができる。
【００３１】
本発明の携帯端末の構成は、携帯端末の通信網に接続されると共に近距離無線通信により接続され、この近距離無線通信により通知された受信状態モードにより制御されることを特徴とする。
【００３２】
本発明において、携帯端末の通信網との無線部電源断で、近距離無線通信のみ動作の状態で、他の携帯端末から着信があった時、近距離無線通信により、その着信を受信することができ、また、携帯端末が、携帯電話機であることができる。
【発明の効果】
【００３３】
以上説明したように、本発明によれば、外部からの通信により受信モードの設定ができるので、移動無線機のユーザーが意識をすること無く、任意の場所・時間によって自動的にマナーモードなど受信モードを設定でき、システム運用・操作に柔軟性を持たせることができるという効果がある。
【発明を実施するための最良の形態】
【００３４】
次に図面により本発明の実施形態を説明する。図１は本発明の一実施形態のシステムを説明するブロック図である。図１に示すように、本システムは、移動無線の移動通信網５と、移動機１，１ａと、サーバ３と、制御基地局４ａ，４ｂとから構成される。サーバ３および制御基地局４ａ，４ｂは、受信状態モードを規制する必要のある特定の施設２内に設けられる。移動機１，１ａとサーバ３とは移動機網５を介して接続され、またサーバ３は制御基地局４ａ，４ｂと接続される。移動通信網５と移動機１，１ａとは通話路Ｃ２により通信し、移動通信網５とサーバ３とは通話路Ｃ１により通信を行う。サーバ３は、移動機１の受信モードを設定する必要がある特定施設（エリア）２内に設けられ、サーバ３と制御基地局４ａ，４ｂとは、Ｂｌｕｅｔｏｏｔｈなどの近距離無線で通話路Ｃ３により接続され、また制御基地局４ａ，４ｂと移動機１とは近距離無線で通話路Ｃ４により接続されている。なお、移動機１ａは、必ずしも受信モードが設定される必要がない外部にある一般の移動機である。また、制御基地局４ａ，４ｂは、移動機１を特定施設（エリア）２内の特定の受信モードに設定する必要がある部屋（エリア）毎に必要に応じて設置される。
【００３５】
本実施形態のシステムにおいて、サーバ３は、移動機１に対して該当場所・時間・状態に適した受信モード設定を行い、公共の場（施設２）に設けられた各部屋（エリア）毎の制御基地局４ａ，４ｂに通知する。この場合、サーバ３は、必要に応じて 受信モードの変更を通知するが、受信モード状態を変換させるための信号を設定し、制御基地局４ａ，４ｂに通知する。また、制御基地局４ａ，４ｂは、サーバ３から近距離無線により通知を受け、近距離無線により移動機１にその通知を転送する。また、移動機１は、現在の受信モード状態を検出する機能を有すると共に、サーバ３、制御基地局４ａ，４ｂからの近距離無線による受信モードの通知を受けて受信モードの設定・変更を行う。
【００３６】
なお、この説明で使用している“受信モード”とは、バイブレータ設定、サイレントモード設定、無線部電源ＯＦＦ設定、音声通話ＮＧ設定などの移動無線機が想定しているマナーモードの待ち受け状態を示す。また、無線部電源ＯＦＦ設定、緊急発信以外ＮＧ（例えば１１０番、１１９番など）設定、音声通話禁止設定なども含まれる。
【００３７】
この移動機１の受信モードとしては、例えば、映画館内で上映前はバイブレータの設定にし、映画上映中は、サイレントモードや無線部電源ＯＦＦ設定にする。また、病院の一部の部屋では無線部電源をＯＦＦ設定にし、一部のフロアーでは通話可能にするなどさまざまな設定をサーバ３側で意図的に変更をする必要がある。
【００３８】
また、公共の場を特定させる為の方法として、サーバ３に付随するＢｌｕｅｔｏｏｔｈなどの近距離無線の制御基地局４ａ，４ｂをエリアごとに複数個設置することにより、制御基地局４ａ，４ｂからの受信レベルを移動無線機１で測定すればよい。この移動無線機１の受信レベルは、制御基地局４ａ，４ｂを介してサーバ３側に通知されるので、移動無線機１の位置をサーバ３側で割り出すこともできる。移動無線機１の位置が同一公共の施設２でも、音声通話が出来る場所や、メールのみ可能な場所などさまざまな受信モードを設定することができ、公共の場で各移動無線機１の受信モード状態を任意の場所、時間、状態に合わせて任意に設定変更を通知することができる。
【００３９】
また、サーバ３側は移動機網５との連携を果たすことにより、着信規制がかかった状態の移動無線機１に対して、無線部電源ＯＦＦ（断）の場合にも対応することが出来る。この無線部電源ＯＦＦとは、通常の通信網３の無線部電源が断で、近距離無線の無線部が動作している状態である。この状態では、近距離無線が微弱な電波を用いているので、他の機器に影響を与えることはない。
【００４０】
すなわち、移動無線機１が無線部電源ＯＦＦの場合には、制御基地局４ａを介してその状態をサーバ３に通知してあるので、サーバ３はこの移動無線機１が無線部電源ＯＦＦであることを認識している。従って、この移動無線機１に着信があった時に、サーバ３は着信があったことを近距離無線メッセージにより制御基地局４ａを介して移動無線機１に通知する事が出来る。従って、移動無線機１の所有者（ユーザー）は施設２の受信モード規制区間を離れて、通話するべきかどうかを判断する事ができる。
【００４１】
図１において、移動機自動受信状態モード設定システムの概略動作を説明する。本システムを説明するにあたり、施設２内のＢｌｕｅｔｏｏｔｈ等の近距離無線などを有するサーバ３および制御基地局４ａ，４ｂと、移動無線機１および移動機網５が基本構成となる。また、移動無線機１に着信をかける任意の移動無線機１ａを持つ発信者がいるとする。また、これらサーバ３、制御基地局４ａ，４ｂ、移動無線機１、移動機網５のそれぞれの間で通信が出来るアプリケーションソフトを用意することとする。
【００４２】
まず、移動機１の所有者（ユーザー）が移動無線機の機能を制限したい施設２（例えばエリアをセミナーなどの受講会場とする）に行った場合を想定する。まず、施設２のサーバ３が、制御基地局４ａ，４ｂと移動機１が通信をする事により、その受信レベルなどを測定して移動機１から制御基地局４ａ，４ｂを介してサーバ３に受信レベルを通知する。サーバ３は、移動機１から通知のあった受信レベルがあらかじめ設定された受信レベルになった場合、状況に応じた受信モード設定を制御基地局４ａ，４ｂを介して移動機１に対して通知を行う。移動機１は、サーバ３から通知された受信モードに対して必要な受信モード設定を行う。例えば、サイレントモード設定された移動機１をバイブレータ設定にしないなど優先順位を決めて、移動機１の状態モードを設定する。
【００４３】
このサーバ３から指示される受信状態としては、図１のように、バイブレータ設定Ｍ２，サイレントモード設定Ｍ３，無線部電源ＯＦＦＭ４，音声通信ＮＧＭ５および通常受信のデフォルトモードＭ１があるとする。そして移動機１の受信状態モードは、バイブレータモードＭ１２，サイレントモードＭ１３，無線部電源ＯＦＦモードＭ１４，音声通信ＮＧモードＭ１５および通常受信モードＭ１１がある。
【００４４】
例えば、サーバ３が最初に移動機１から通知を受けた状態で施設２付近に近づいただけと判断した場合は受信モードを設定する必要がないので、移動機１に対しては何も通知を行わない。
【００４５】
移動機１の所有者がさらにサーバ３に近づき施設２の中に入場した場合、そのエリア（部屋）に従って制御基地局４ａ，４ｂが受信モードを設定する。サーバ３は施設２内の部屋（制御基地局４ａ）が既に着信音設定ではなくバイブレータのみの設定にする必要があると判断する為、サーバ３はバイブレータ設定Ｍ２の通知を制御基地局４ａを介して移動機１に対して行い、この設定を通知された移動機１はバイブレータ設定を行っていない場合は移動機１の設定をバイブレータモードＭ１２に変更をする。
【００４６】
また、移動機１の所有者がサーバ３の施設２内にあるセミナー会場（制御基地局４ｂ）内に入った場合に、その状態を継続してよいと判断した場合は何も通知を行わないが、施設２がセミナー中で着信はあっても良いが、着信音だけでなくバイブレータの音も一切出して欲しくないと判断した場合はサーバ３からサイレントモード設定Ｍ３通知を制御基地局４ｂを介して移動機１に対して行う。サイレントモードを受信した移動機１はサイレントモードＭ１３の設定を行う。
【００４７】
次に、サーバ３がセミナー中のメール受信は可能だが音声通話を行って欲しくないと判断した場合はサーバ３から制御基地局４ｂを介して移動機１に対して音声通話ＮＧＳ４設定を通知して、音声通話ＮＧを受信した移動機１は音声通話ＮＧモードＭ１４の設定を行う。
【００４８】
また、セミナーが開始され始めた時に、マイクからＦＭ波などの簡易無線機を用いてスピーカを駆動している場合には、移動機１に着信があっただけでノイズが発生し、セミナーの支障をきたすと判断した場合は、サーバ３から制御基地局４ｂを介して移動機１に無線部電源ＯＦＦ設定Ｍ５の通知を行う。移動機１は、無線部電源ＯＦＦの通知を受信して無線部電源ＯＦＦモードＭ１５の設定を行う。
【００４９】
ここで、無線部電源ＯＦＦ設定Ｍ４の状態で移動機１の所有者に対して連絡を取りたい移動機１ａがあった場合は、サーバ３に対して音声発信を行ったとする。この場合には、あらかじめサーバ３と移動機網５と連携をとったサービス提供を行う。具体的には、サーバ３からの通知で無線部電源ＯＦＦモードＭ１４の受信モード状態にある移動機１ａはサーバ３からの着信を受けることが出来ない。そのために、移動機１ａから着信を受けた移動機網５はサーバ３を経由して制御基地局４ａの近距離無線メッセージを利用して移動機１に対して移動機１ａから連絡があった旨の通知を行う。そうする事により、移動機１の所有者は移動機１ａに対して連絡を取らなければならないと判断することができる。この場合には移動機１の所有者は、適当な通話可能なエリアに行って通話すればよい。例えば、移動機１の所有者がセミナー会場を出た場合に、サーバ３は移動機１がバイブレータモード（または通常受信モードの状態になったと判断するため、移動機１に対してバイブレータモード設定Ｍ２（または通常受信モードＭ１）の通知を行う。この通知を受けた移動機１はバイブレータモードＭ１２の状態になる事により移動機１の所有者は周りの人に迷惑をかけずに通話を行うことが可能となる。
【００５０】
また、セミナーの休憩時間、終了時間になれば今まで移動機１の所有者が設定していた受信モード状態にもどしてよいと判断される。この場合は施設に入る前のデフォルトモードＭ１の受信モード許可通知を行う。デフォルトモードＭ１を受信した移動機１は施設２に入る前に設定されていた受信モードを設定することにより、移動機１の所有者は従来通りの携帯電話の使い方ができるようになる。
【００５１】
以上のように、本発明の構成によれば、マナーモード設定、無線部電源ＯＦＦ、緊急発信以外ＮＧ設定、音声通話禁止などのモード設定を移動無線装置の所有者（ユーザー）に意識させずに設定をし、マナー向上を図ることが出来る。
【実施例１】
【００５２】
図１は、実施例１を示している。図２は図１の移動機自動受信状態モード設定システムの動作を説明するフロー図である。まず、ステップＳ１で、移動無線機１が移動した周辺に近距離無線の制御基地局４を有するサーバ３があるかどうかチェックを行う。これは、移動無線機１が近距離無線を受信したかどうかでチェックする。移動無線機１が近距離無線を受信した場合は、該当するサーバ３があり、受信モードの設定が必要ならば、ステップＳ２で、受信レベルを測定して受信レベルをサーバ３の無線部に通知を行う（ステップＳ３）。
【００５３】
次に、サーバ３側は受信した、移動無線機１の受信レベルが予め想定した一定レベル（受信モードを変更する必要があるレベルであると判断）を超えて、且つ受信モードの設定が必要かの判定を行う（ステップＳ４）。この判定を行った結果、移動無線機１がある施設２で、任意の受信モード設定が必要な場合は、サーバ３が通知する受信モードを移動無線機１の設定変更をする（ステップＳ５）。
【００５４】
このステップＳ４で、受信モード設定が必要なければ、ステップＳ１へ戻り、近距離無線をもつサーバ３を再度検索に行く。ステップＳ５で、受信モード設定変更を行った場合には、受信レベルを測定して一定のレベル変化があった場合にサーバ３に対して受信レベルを通知する（ステップＳ６）。次にステップＳ７で、サーバ３側は移動無線機１がサーバ３から離れたかどうかの判断を行う。ここで、移動無線機１がサーバ３から離れた場合はステップＳ８へ進み、サーバ３側で定めた受信モードを変更する状態や、時間、場所であった場合はステップＳ８の判定を行う。ステップＳ８の場合にサーバ３側は移動無線機１の受信モード変更が必要かどうかの判定を行う。そして受信モード変更が必要な場合はステップＳ５へ、変更が必要ない場合はステップＳ６へ進む。移動無線機１は受信レベルが変化する毎にサーバ３に対して通知を行うなどにより、ステップＳ５，６，７，８の操作を繰り返す。
【００５５】
また、ステップＳ９にてサーバ３から離れたと判断した場合はサーバ３に近づく前の状態に戻す通知を移動無線装置に対して行う。その後、近距離無線のあるサーバ３が近くに再発見された場合は上記内容を繰り返すことにより、自動的に受信モードの変更を行っていく。
【００５６】
次に図１の具体的構成を図３（ａ）（ｂ）により説明する。図３（ａ）はこのシステムに用いられる移動無線機１のブロック図である。この携帯端末１は、通常の携帯電話機能部と近距離通信機能部とから構成される。通常の携帯電話機能部は、アンテナ１１と、送受信部１２と、制御部１３と、表示制御部１４と、表示部１５と、音声処理部１６ａ，１６ｂと、スピーカ１７と、マイク（マイクロフォン）１８と、キー入力部１９と、記憶部２０とからなり、近距離通信機能部は、近距離無線アンテナ２１と、送受信部２２とが含まれる。
【００５７】
通常の携帯電話機能部では、移動機網５から無線チャンネルを介して到来した無線信号が、アンテナ１１を介して送受信部１２に受信され復調される。復調された受信信号は、制御部１３において、表示信号と音声信号に分けられる。表示信号は、表示制御部１４を介してＬＣＤなどの表示部１５に表示され、また音声信号は音声処理部１６ａを介してスピーカ１７に出力される。
【００５８】
また、近距離通信機能部では、Ｂｌｕｅｔｏｏｔｈなどの近距離無線をアンテナ２１を介して送受信部２２に送受信され、制御部１３に接続される。サーバ３から制御基地局４ａを経た受信モード設定信号は、移動機１の近距離無線のアンテナ２１を介して送受信部２２に受信され、制御部１３に接続される。制御部１３は、受信モード設定信号によって所定受信モードを設定し、必要に応じて受信モードを切替える。また、移動機１で設定された受信モードは、送受信部２２からアンテナ２１を介して送信され、制御基地局４ａからサーバ３に通知される。
【００５９】
図３（ｂ）はこのシステムに用いられるサーバ３のブロック図である。このサーバ３は、通常の携帯電話機能部と近接通信機能部とから構成される。通常の携帯電話機能部は、アンテナ３１と、送受信部３２と、制御部３３と、表示制御部３４と、表示部３５と、音声処理部３６ａ，３６ｂと、スピーカ３７，マイク（マイクロフォン）３８と、キー入力部３９と、記憶装置４０とからなり、近接通信機能部は、近距離無線アンテナ４１と、送受信部４２とが含まれる。
【００６０】
サーバ３の操作者は、キー入力部３９を操作して施設２内のエリア（制御基地局４ａ，４ｂ）毎に受信モードを設定する。制御部３３は、設定した受信モードにより受信モード設定信号を作り送受信部４２に送る。送受信部４２は、その受信モード設定信号を近距離無線アンテナ４１を介して、それぞれ制御基地局４ａ，４ｂに送信する。また、移動機１で設定された受信モード設定信号は、制御基地局４ａ，４ｂを経由してサーバ３の近距離無線アンテナ４１から送受信部４２で受信される。
【００６１】
また、制御部３３は、移動機１が無線部電源ＯＦＦモードＭ１５の受信モード状態にある場合、他の移動機１ａから着信があった時に着信信号を出力する。この着信信号は、送受信部４２から近距離無線アンテナ４１を介して送信され、制御基地局４ａを介して移動機１に通知される。なお、サーバ３の記憶装置４０は、通常の通信記憶機能の他に、各制御基地局４ａ，４ｂへの受信モード設定状態や各移動機１からの受信モード設定状態を記憶する必要がある。
【００６２】
また、図４は図１のシステムのエリアＡに設置される制御基地局４ａの一例の概略構成を説明するブロック図である。この制御基地局４ａの主要部は、近距離無線（通信用）アンテナ５１ａ，５１ｂ、近距離通信用送受信部５２ａ，５２ｂ、制御部５３から構成される。この他の構成としては、表示制御部５４と、表示部５５と、音声処理部５６ａ，５６ｂと、スピーカ５７、マイク（マイクロフォン）５８と、キー入力部５９と、記憶部６０などが含まれる。ここで近距離無線アンテナ５１ａ，送受信部５２ａは、サーバ３との間の通信に使用され、近距離無線アンテナ５１ｂ，送受信部５２ｂは、移動機１との間の通信に使用される。
【００６３】
サーバ３からの受信モード設定信号や着信信号は、各制御基地局４ａ毎に近距離無線アンテナ５１ａを介して近距離通信用送受信部５２ａで受信され、制御部５３に供給される。制御部５３では、制御基地局４ａに指示された受信モード設定信号をそのエリア内にある各移動機１に通知するために、送受信部５２ｂから近距離無線アンテナ５１ｂを介して送信する。また、移動機１ａからの着信信号も、近距離無線アンテナ５１ａを介して送受信部５２ａで受信され、これを移動機１に通知するために、送受信部５２ｂから近距離無線アンテナ５１ｂを介してサーバ３に送信する。
【００６４】
また、制御基地局４ａのエリア内にある各移動機１からの受信モード状態信号は、制御基地局４ａの近距離無線アンテナ５１ｂを介して近距離通信用送受信部５２ｂで受信され、制御部５３に供給される。制御部５３では、各移動機１に指示された受信モード状態信号をサーバ３に通知するために、送受信部５２ａから近距離無線アンテナ５１ａを介して送信する。
【００６５】
本実施例の構成によれば、所定施設内のエリア毎にそのエリア内の各移動機の受信モードを自動的に任意に設定することが出来るので、良好なマナーで移動機を運用できるという効果がある。
【００６６】
また、Ｂｌｕｅｔｏｏｔｈなどの近距離無線の電波が届く範囲が短いので、受信レベルによって移動無線機の位置情報を判断する事ができ、移動無線機を使用してよい場所、使用が不可能な場所を明確に分けることができるという効果がある。
【００６７】
なお、本実施例では、近距離無線としてＢｌｕｅｔｏｏｔｈを用いる場合を説明したが、必要に応じて無線ＬＡＮなどを用いることも出来る。また、本実施例では、無線移動機１により説明したが、一般的には携帯端末でよいことも明らかである。
【００６８】
また、本実施例（実施例１）では、サーバ３と制御基地局４との間を近距離無線により通信する場合を説明したが、サーバ３と制御基地局４とは同じ施設２の中にあるエリア間の通信であるので、この間を有線通信とすることも可能である。この場合には、サーバ３の送受信部４２が有線通信の対応する送受信部となり、アンテナ４１の代わりに有線が用いられ、また、サーバ３に接続する制御基地局４の送受信部５２が有線通信の対応する送受信部となり、アンテナ５１の代わりに有線が用いられる。なお、移動機１に接続する制御基地局４の送受信部５２ｂおよびアンテナ５１ｂはそのまま残る必要がある。
【実施例２】
【００６９】
図５は本発明の第２の実施例を説明するブロック図である。本実施例は、第１の実施例を簡単化したもので、施設２ａ内で制御すべきエリアが１箇所の場合である。この実施例は、例えば、受信状態モードを制御すべき部屋が１つのホールのみの小さな会場のような場合であり、この場合には制御基地局４ａ，４ｂが不要となり簡単化される。すなわち、近距離通信手段をもつサーバ３ａが、通話路Ｃ５を用いて、近距離通信手段をもつ移動機１を直接制御するようにすればよい。
【００７０】
この場合は、サーバ３ａが図３（ｂ）と同様な構成で、移動機１が図３（ａ）と同様な構成となる。
【００７１】
本実施例の構成によれば、所定施設毎にその施設内の各移動機の受信モードを自動的に任意に設定することが出来るので、良好なマナーで移動機を運用できるという効果がある。また、本実施例の場合は、第１の実施例の構成よりも構成が簡単化されるという効果もある。
【図面の簡単な説明】
【００７２】
【図１】本発明の第１の実施形態を説明する自動受信モード設定システムのブロック図である。
【図２】図１の処理を説明するフロー図である。
【図３】（ａ）（ｂ）は図１の無線移動機およびサーバの部分のブロック図である。
【図４】図１の基地局の部分のブロック図である。
【図５】本発明の第２の実施例を説明する自動受信モード設定システムのブロック図である。
【図６】従来例の自動受信モード設定システムを説明するブロック図である。
【図７】（ａ）（ｂ）は図６の無線移動機部分および規制用発信局のブロック図である。
【符号の説明】
【００７３】
１，１ａ，１ｂ    移動無線機
２，２ａ    施設（エリア）
３，３ａ    モード設定用サーバ
４ａ，４ｂ    基地制御局
５，５ａ    移動無線網
６ａ，６ｂ    規制用発信局
７ａ，７ｂ    規制解除用発信局
８    基地局
１１，３１    移動無線アンテナ
２１，４１，５１ａ，５１ｂ，６１    近距離無線アンテナ
２２，３２，５２ａ，５２ｂ，６２    送受信部
２３    制御信号受信部
１３，１３ｂ，３３，５３，６３    制御部
１４，３４，５４    表示制御部
１５，３５，５５    表示部
１６ａ，１６ｂ，３６ａ，３６ｂ，５６ａ，５６ｂ    音声処理部
１７，３７，５７    スピーカ
１８，３８，５８    マイク
１９，３９，５９    キー入力部
２０，６０，６４    記憶部
４０    記憶装置
【図１】
2006157273.tif 000003
【図２】
2006157273.tif 000004
【図３】
2006157273.tif 000005
【図４】
2006157273.tif 000006
【図５】
2006157273.tif 000007
【図６】
2006157273.tif 000008
【図７】
2006157273.tif 000009